(57)【要約】【課題】カルバート内を通行する際の心理的な圧迫感や狭窄感を軽減するとともに、容易に輸送、組み立てできる多連型ボックスカルバートの提供。【解決手段】左右の側壁３，３と、該両側壁の上端間の頂版４と、同下端間の底版２と、前記両側壁３，３間にあって前記頂版４と前記底版２の間に介在させた隔壁５とを備えた筒状の多連型ボックスカルバートにおいて、前記左及び／又は右の側壁３は、その上方が他方側の側壁から離れる側に倒れるように、斜めに形成され、前記頂版４は、前記斜めに形成されている側壁３から前記隔壁５にかけてアーチ状に形成されている。【選択図】図１
0003138555.tif 000002
【実用新案登録請求の範囲】
【請求項１】
左右の側壁と、該両側壁の上端間の頂版と、同下端間の底版と、前記両側壁間にあって前記頂版と前記底版の間に介在させた隔壁とを備えた筒状の多連型ボックスカルバートにおいて、
前記左及び／又は右の側壁は、上部が他方側の側壁から離れる側に倒れるように斜めに形成され、
前記頂版は、前記斜めに形成されている側壁から前記隔壁にかけてアーチ状に形成されていることを特徴としてなる多連型ボックスカルバート。
【請求項２】
前記側壁の上側を構成する側壁上側部と該側壁上側部の上端から前記隔壁上端近くまでの頂版部とを一体に有する一対の上側部構成ブロックと、
前記側壁の下側を構成する側壁下側部と該側壁下側部の下端から前記隔壁下端近くまでの底版部とを一体に有する一対の下側部構成ブロックと、
前記隔壁と該隔壁の上端両側に頂版の一部を構成する一対の頂版用張り出し部と該隔壁の下端両側に底版の一部を構成する一対の底版用張り出し部とを一体に有する断面が略Ｉ型の隔壁部構成ブロックとを連結して構成した請求項１に記載の多連型ボックスカルバート。
【請求項３】
前記隔壁部構成ブロックの頂版用張り出し部の先端には、該頂版用張り出し部の略下半分の厚さ分を突出させた台座部を一体に備え、
前記上側部構成ブロックの頂版部の隔壁側先端には、頂版部の略上半分の厚さ分を突出させた支持部を一体に備え、前記台座部の上面及び／又は前記支持部の下面には、鋼板がその表面を露出した状態で埋設されており、
前記台座部上に前記支持部を、前記鋼板に接着した緩衝材を介在させて載せ、前記支持部と前記台座部をボルトによって、前記緩衝材の変形可能な範囲内において移動可能に、固定されている請求項２に記載の多連型ボックスカルバート。
【請求項４】
前記上側部構成ブロックにおける頂版部には、それぞれの頂版部の厚さの半分より上側に、前記側壁側から前記支持部に亘って上側主鉄筋が埋設されるとともに、それぞれの頂版部の厚さの半分より下側に、前記上側主鉄筋と略平行に下側主鉄筋が埋設され、前記上側主鉄筋の前記支持部内位置から前記下側主鉄筋の隔壁側先端部分にかけて角部補強鉄筋が設置され、
前記隔壁構成ブロックの左右の頂版用張り出し部には、それぞれの頂版用張り出し部の厚さの半分より下側に、前記側壁側から前記台座部に亘って下側主鉄筋が埋設され、それぞれの頂版部の厚さの半分より上側に、前記下側主鉄筋と略平行に上側主鉄筋が埋設され、前記下側主鉄筋の前記台座部内位置から前記上側主鉄筋の隔壁側先端部分にかけて角部補強鉄筋が設置されている請求項３に記載の多連型ボックスカルバート。
【考案の詳細な説明】
【技術分野】
【０００１】
本願考案は、道路等として使用される複数の内部空間を有し、複数のプレキャスト製のコンクリートブロックからなる多連型ボックスカルバートに関する。
【背景技術】
【０００２】
従来、道路等として使用される複数の内部空間を有するボックスカルバートとして、図７に示す構造のものがある。これは、角筒状のボックスカルバートであって、左右の側壁６０，６０の上端間に頂版６１が、同下端間に底版６２がそれぞれ備えられ、両側壁の中間位置にあって頂版６１と底版６２間に隔壁６３が設けられ、隔壁６３の左右に筒状の空間が形成されている。
【０００３】
また、このボックスカルバートは、複数のブロックから構成されている。即ち、このボックスカルバートは、左右の両側壁６０のそれぞれの中央高さ位置から上部を構成する各側壁上側部６０ａと側壁６０の上端から隔壁上端近くまでの左右の頂版部６１ａとを一体に有する一対の左右の上側部構成ブロック７０と、左右の両側壁６０のそれぞれの中央高さ位置から下部を構成する各側壁下側部６０ｂと側壁６０の下端から前記隔壁下端近くまでの左右の底版部６２ａとを一体に有する一対の左右の下側部構成ブロック７１と、隔壁６３と該隔壁の上端両側に頂版の一部を構成する頂版用張り出し部６１ｂと該隔壁の下端両側に底版の一部を構成する底版用張り出し部６２ｂとを一体に有する断面が略Ｉ型の隔壁部構成ブロック７２とを備え、各ブロックを連結して形成されているものである。（特許文献１）
【特許文献１】実用新案登録第３１２７５６３号公報
【考案の開示】
【考案が解決しようとする課題】
【０００４】
しかし、このような従来の角筒状のボックスカルバートは、ボックス内を歩行する人や自動車で走行する人に、心理的な圧迫感や狭窄感を与えるという問題があった。
【０００５】
また、そのような圧迫感等を解消するべく、カルバートの高さや幅を拡げようとすると、カルバートの夫々の部分が分厚くなり、部材の重量が増大し、輸送が困難になるとともに、その組み立てにおいてもコストが掛かるという問題があった。
【０００６】
本考案はこのような従来の問題に鑑み、カルバート内を通行する際の心理的な圧迫感や狭窄感を軽減するとともに、容易に輸送、組み立てできる多連型ボックスカルバートの提供を目的としてなされたものである。
【課題を解決するための手段】
【０００７】
上述の如き従来の問題を解決し、所期の目的を達成するための請求項１に記載の考案の特徴は、左右の側壁と、該両側壁の上端間の頂版と、同下端間の底版と、前記両側壁間にあって前記頂版と前記底版の間に介在させた隔壁とを備えた筒状の多連型ボックスカルバートにおいて、前記左及び／又は右の側壁は、上部が他方側の側壁から離れる側に倒れるように斜めに形成され、前記頂版は、前記斜めに形成されている側壁から前記隔壁にかけてアーチ状に形成されていることにある。
【０００８】
また、請求項２に記載の考案の特徴は、前記請求項１の構成に加え、前記側壁の上側を構成する側壁上側部と該側壁上側部の上端から前記隔壁上端近くまでの頂版部とを一体に有する一対の上側部構成ブロックと、前記側壁の下側を構成する側壁下側部と該側壁下側部の下端から前記隔壁下端近くまでの底版部とを一体に有する一対の下側部構成ブロックと、前記隔壁と該隔壁の上端両側に頂版の一部を構成する一対の頂版用張り出し部と該隔壁の下端両側に底版の一部を構成する一対の底版用張り出し部とを一体に有する断面が略Ｉ型の隔壁部構成ブロックとを連結して構成したことにある。
【０００９】
また、請求項３に記載の考案の特徴は、前記請求項２の構成に加え、前記隔壁部構成ブロックの頂版用張り出し部の先端には、該頂版用張り出し部の略下半分の厚さ分を突出させた台座部を一体に備え、前記上側部構成ブロックの頂版部の隔壁側先端には、頂版部の略上半分の厚さ分を突出させた支持部を一体に備え、前記台座部の上面及び／又は前記支持部の下面には、鋼板がその表面を露出した状態で埋設されており、前記台座部上に前記支持部を、前記鋼板に接着した緩衝材を介在させて載せ、前記支持部と前記台座部をボルトによって、前記緩衝材の変形可能な範囲内において移動可能に、固定されていることにある。
【００１０】
また、請求項４に記載の考案の特徴は、前記請求項３の構成に加え、前記上側部構成ブロックにおける頂版部には、それぞれの頂版部の厚さの半分より上側に、前記側壁側から前記支持部に亘って上側主鉄筋が埋設されるとともに、それぞれの頂版部の厚さの半分より下側に、前記上側主鉄筋と略平行に下側主鉄筋が埋設され、前記上側主鉄筋の前記支持部内位置から前記下側主鉄筋の隔壁側先端部分にかけて角部補強鉄筋が設置され、前記隔壁構成ブロックの左右の頂版用張り出し部には、それぞれの頂版用張り出し部の厚さの半分より下側に、前記側壁側から前記台座部に亘って下側主鉄筋が埋設され、それぞれの頂版部の厚さの半分より上側に、前記下側主鉄筋と略平行に上側主鉄筋が埋設され、前記下側主鉄筋の前記台座部内位置から前記上側主鉄筋の隔壁側先端部分にかけて角部補強鉄筋が設置されていることにある。
【考案の効果】
【００１１】
本考案に係る多連型ボックスカルバートは、左右の側壁と、該両側壁の上端間の頂版と、同下端間の底版と、前記両側壁間にあって前記頂版と前記底版の間に介在させた隔壁とを備えた筒状の多連型ボックスカルバートにおいて、前記左及び／又は右の側壁は、上部が他方側の側壁から離れる側に倒れるように斜めに形成され、前記頂版は、前記斜めに形成されている側壁から前記隔壁にかけてアーチ状に形成されていることにより、この多連型ボックスカルバート内を通る者に与える心理的な圧迫感等を軽減することができる。
【００１２】
また、前記側壁の上側を構成する側壁上側部と該側壁上側部の上端から前記隔壁上端近くまでの頂版部とを一体に有する一対の上側部構成ブロックと、前記側壁の下側を構成する側壁下側部と該側壁下側部の下端から前記隔壁下端近くまでの底版部とを一体に有する一対の下側部構成ブロックと、前記隔壁と該隔壁の上端両側に頂版の一部を構成する一対の頂版用張り出し部と該隔壁の下端両側に底版の一部を構成する一対の底版用張り出し部とを一体に有する断面が略Ｉ型の隔壁部構成ブロックとを連結して構成したことにより、ブロック毎に運搬できるので、容易に運搬できる。また、施工も容易にできる。
【００１３】
さらに、前記隔壁部構成ブロックの頂版用張り出し部の先端には、該頂版用張り出し部の略下半分の厚さ分を突出させた台座部を備え、前記上側部構成ブロックの頂版部の隔壁側先端には、頂版部の略上半分の厚さ分を突出させた支持部を備え、前記台座部の上面及び／又は前記支持部の下面には、鋼板がその表面を露出した状態で埋設されており、前記支持部を前記台座部に、前記鋼板に接着した緩衝材を介在させて載せ、前記支持部と前記台座部がボルトによって、前記緩衝材の変形範囲内において移動可能に、固定されていることにより、ボックスカルバートの構造としての安定性がより高まる。また、コンクリートに対する接着性の優れない緩衝材であっても、鋼板に対しての接着性を有すれば使用することができるので、性能的に優れた緩衝材を使用することができる。
【００１４】
さらに、前記上側部構成ブロックにおける頂版部には、それぞれの頂版部の厚さの半分より上側に、前記側壁側から前記支持部に亘って上側主鉄筋が埋設されるとともに、それぞれの頂版部の厚さの半分より下側に、前記上側主鉄筋と略平行に下側主鉄筋が埋設され、前記上側主鉄筋の前記支持部内位置から前記下側主鉄筋の隔壁側先端部分にかけて角部補強鉄筋が設置され、前記隔壁構成ブロックの左右の頂版用張り出し部には、それぞれの頂版用張り出し部の厚さの半分より下側に、前記側壁側から前記台座部に亘って下側主鉄筋が埋設され、それぞれの頂版部の厚さの半分より上側に、前記下側主鉄筋と略平行に上側主鉄筋が埋設され、前記下側主鉄筋の前記台座部内位置から前記上側主鉄筋の隔壁側先端部分にかけて角部補強鉄筋が設置されていることにより、支持部及び台座部の強度を好適に高めることができる。
【考案を実施するための最良の形態】
【００１５】
次に本考案の実施の形態を図面に示した実施例に基づいて説明する。
【００１６】
図１〜図６は、本考案に係る多連型ボックスカルバートの一例を示している。この多連型ボックスカルバート１は、底版２を有し、この底版の左右の端部から立ち上がる側壁３，３を有し、その両側壁の上部に跨って配置された頂版４を有し、更に、両側壁３，３間に隔壁５を有している。そして、この隔壁５によって底版２、側壁３，３、頂版４によって囲まれた空間が仕切られ、隔壁５の左右に筒状の内部空間が形成されている。また、頂版４は側壁３，３から隔壁５にかけてアーチ状に形成されており、側壁３，３は、その上部が外側に向けて開く方向に、即ち、両側壁３，３の頂版側が互いに離れる方向に、斜めに形成されている。このボックスカルバートの隔壁によって隔てられた左右の内部空間は、それぞれ幅が内部空間の高さより大きく形成されている。
【００１７】
この多連型ボックスカルバート１は、その左上部分を構成する上側部構成ブロックである左上側部構成ブロック１１と、同様に右上部分を構成する上側部構成ブロックである右上側部構成ブロック１２と、左下部分を構成する下側部構成ブロックである左下側部構成ブロック１３と、右下部分を構成する下側部構成ブロックである右下側部構成ブロック１４と、真中の隔壁部分を構成する隔壁部構成ブロック１５とから構成されている。
【００１８】
左上側部構成ブロック１１は、左の側壁３の中央高さ位置から上側を構成する左側壁上側部３ａと、左の側壁３の上端から隔壁５上端近くまでの左側頂版部４ａとを一体に有している。そして、左側頂版部４ａの隔壁側先端は、隔壁部構成ブロック１５の上部と接合され、左側壁上側部３ａの下端は、後述する左下側部構成ブロック１３の左側壁上側部３ａの上端と接合されている。
【００１９】
左下側部構成ブロック１３は、左の側壁の下側を構成し、左上側部構成ブロック１１の左側壁上側部３ａの下端に接合されている左側壁下側部３ｂと、左の側壁の下端から隔壁下端近くまでの左側底版部２ａとを一体に有している。この左側底版部２ａは、その隔壁側先端が隔壁部構成ブロック１５と接合されている。
【００２０】
隔壁部構成ブロック１５は、隔壁５と、その隔壁の上端両側から突出するように一体に形成された、頂版の一部を構成する左右の頂版用張り出し部４ｃ，４ｃと、隔壁の下端両側に一体に形成された、底版の一部を構成する左右の底版用張り出し部２ｃ，２ｃとを有している。この隔壁部構成ブロック１５は、断面略Ｉ型に形成されており、この左側の底版用張り出し部２ｃの先端と、上述した左下側部構成ブロック１３の左側底版部２ａの隔壁側先端が接合されている。また、左側の頂版用張り出し部４ｃの先端と、左上側部構成ブロック１１の左側頂版部４ａの隔壁側先端が接合されている。さらに、右側の頂版用張り出し部４ｃに右上側部構成ブロック１２が接合され、右側の底版用張り出し部２ｃに、右下側部構成ブロック１４が接合されている。
【００２１】
右上側部構成ブロック１２は、右の側壁３の中央高さ位置から上側を構成する右側壁上側部３ｃと、右の側壁３の上端から隔壁５上端近くまでの右側頂版部４ｂとを一体に有している。そして、右側頂版部４ｂの隔壁側先端は、隔壁部構成ブロック１５の右側の頂版用張り出し部４ｃと接合され、右側壁上側部３ｃの下端は、後述する右下側部構成ブロック１４の右側壁下側部３ｄの上端と接合されている。
【００２２】
右下側部構成ブロック１４は、右の側壁３の下側を構成し、右上側部構成ブロック１２の右側壁上側部３ｃの下端に接合されている右側壁下側部３ｄと、右の側壁３の下端から隔壁５下端近くまでの右側底版部２ｂとを一体に有している。この右側底版部２ｂは、その隔壁側先端が隔壁部構成ブロック１５の右側の底版用張り出し部２ｃと接合されている。
【００２３】
隔壁部構成ブロック１５と他のブロックとの接合部においては、隔壁部構成ブロック１５の左右の底版用張り出し部２ｃ及び頂版用張り出し部４ｃの先端から突出した台座部２１，２１……と、他のブロックの隔壁側端部から突出した支持部２２，２２……とが接合している。この接合構造について説明する。
【００２４】
隔壁部構成ブロック１５の左右の頂版用張り出し部４ｃの先端には、頂版用張り出し部４ｃの略下半分の厚さ分を突出させた形状の台座部２１，２１を一体に備えている。この台座部２１，２１の上面には、図２に示すように、鋼板２３がその表面を露出させて埋設されており、この鋼板２３には、その表裏に貫通開口した貫通孔２４が形成されている。
【００２５】
この鋼板２３の裏面の端部には、鉄筋２５，２５……が鋼板の裏面側に突出するように溶接されている。また、この鋼板２３の裏面には、ボルトが螺合されるカプラー２６が突設されている。このカプラー２６は、その一端側開口部が鋼板の貫通孔２４と連通するように設置され、他端側には、アンカー２７が一体に備えられている。
【００２６】
このように形成された台座部２１，２１には、その表面の鋼板部分にクロロプレンからなる合成ゴム版である緩衝材２８が接着され、その緩衝材２８を介して支持部２２，２２が載置されている。この支持部２２は、左上側部構成ブロック１１の左側頂版部４ａの隔壁側先端と、右上側部構成ブロック１２の右側頂版部４ｂの隔壁側先端に、それぞれの頂版部の略上半分の厚さ分を突出させた形状に備えられている。
【００２７】
また、支持部２２には、その上面から下面に貫通させて、ボルト挿通孔２９が形成されている。このボルト挿通孔２９は、支持部の上面に形成された締結具収容用の凹部３０の中央部分に貫通開口している。
【００２８】
そして、このボルト挿通孔２９にボルト３１を挿通し、その一端を緩衝材２８を貫通させて台座部２１のカプラー２６にネジ止めし、締結具収容用の凹部３０において、ボルト３１の他端に、ナット３２及び座金３３を嵌合させ、台座部２１と支持部２２を固定している。この時、支持部２１と台座部２２の間には、緩衝材２８が介在しているので、その緩衝材２８の変形可能な範囲において、支持部２１と台座部２２は互いに可動となっている。
【００２９】
また、これらの支持部２２，２２及び台座部２１，２１には、図３に示すように、角部補強鉄筋４１，４１……が埋設されている。支持部２２，２２における角部補強鉄筋４１，４１……は、左右の上側部構成ブロック１１，１２における左側及び右側頂版部４ａ，４ｂにおいて、その厚さの半分より上側に、側壁側から支持部２２，２２に渡って埋設されている上側主鉄筋４２，４２……と、その上側主鉄筋４２，４２……と略平行に、且つ各頂版部４ａ，４ｂの厚さの半分より下側に埋設されている下側主鉄筋４３，４３……に渡って、設置されている。この角部補強鉄筋４１，４１……は、上側主鉄筋４２，４２……の支持部２２，２２……内位置から、支持部２２，２２……の基端部を通って下側主鉄筋４３，４３……の隔壁側先端部分に至るように設置されており、それぞれ上側主鉄筋４２，４２……及び下側主鉄筋４３，４３……と重なるように溶接されている。
【００３０】
この角部補強鉄筋４１，４１……は、一本の鉄筋を折り曲げた形状に形成され、上側主鉄筋４２，４２……と平行に重なっている水平部４１ａと、この水平部４１ａの端部から垂下されている垂直部４１ｂと、その垂直部４１ｂの端部から水平に伸びる水平部４１ｃとを有している。そして、この水平部４１ａ、垂直部４１ｂ、水平部４１ｃで略コ字状となるように形成されている。また、垂直部４１ｂは支持部内に設置されている。さらに、角部補強鉄筋４１，４１……は、下側主鉄筋４３，４３……と平行に重なる部分である水平部４１ｄと、この水平部４１ｄと水平部４１ｃの端部間を斜めに結ぶ傾斜部４１ｅを有している。
【００３１】
台座部２１，２１……における角部補強鉄筋４１，４１……は、隔壁部構成ブロック１５の左右の頂版用張り出し部４ｃにおいて、その厚さの半分より下側に、側壁側から支持部に渡って埋設されている下側主鉄筋４３，４３……と、その下側主鉄筋４３，４３……と略平行に、且つ頂版用張り出し部４ｃの厚さの半分より上側に埋設されている上側主鉄筋４２，４２……に渡って、台座部２１の基端部を通るように設置されている。この角部補強鉄筋４１，４１……は、下側主鉄筋４３，４３……の台座部２１，２１……内位置から、台座部２１，２１……の基端部を通って上側主鉄筋４２，４２……の隔壁側先端部分に至るように設置されており、それぞれ下側主鉄筋４３，４３……及び上側主鉄筋４２，４２……と重なるように溶接されている。
【００３２】
この角部補強鉄筋４１，４１……は、その水平部４１ａが下側主鉄筋４３，４３……と平行に重ねられている。そして、角部補強鉄筋４１，４１……の垂直部４１ｂは、水平部４１ａの台座部先端側から鉛直上方に突出するように、台座部２１，２１……内に設置されている。また、垂直部４１ｂの上側端部から、台座部２１，２１の基端部側に向かって、且つ、下側主鉄筋４３，４３……と平行に、水平部４１ｃが伸びている。そして、水平部４１ｃの端部から、上側主鉄筋４２，４２……と平行に重ねられた水平部４１ｄの台座部側端部まで伸びている傾斜した部分が傾斜部４１ｅとなっている。
【００３３】
これまで頂版におけるブロック同士の接合構造について説明したが、底版における接合構造も同様となっている。即ち、隔壁部構成ブロック１５の左右の底版用張り出し部２ｃ，２ｃの先端には、底版用張り出し部２ｃ，２ｃの略下半分の厚さ分を突出させた形状の台座部２１，２１が一体に備えられ、また、左下側部構成ブロック１３の左側底版部２ａの隔壁側先端と、右下側部構成ブロック１４の右側底版部２ｂの隔壁側先端とには、それぞれの底版部の略上半分の厚さ分を突出させた形状の支持部２２，２２が一体に形成され、これらの台座部２１，２１及び支持部２２，２２は頂版側の台座部及び支持部と同様の構成及び接合構造となっている。
【００３４】
次に、側壁３，３におけるブロック同士の接合構造について図４〜図６に基づき説明する。
【００３５】
左側の側壁３における、左上側部構成ブロック１１と左下側部構成ブロック１３の接合部においては、それぞれのブロックにボルト止め鋼板４４，４４がその表面を接合面に露出させ、互いにその表面同士が接するように設置されている。また、その両ボルト止め鋼板４４，４４には、その表裏を貫通するボルト挿通孔４５，４５が形成されている。このボルト挿通孔４５，４５にボルト４６を挿通させ、ナット４７，４７によって、ボルト止め鋼板４４，４４同士を締め付けて固定している。このように、ブロック同士を接合する方向にボルト止め鋼板４４，４４を締め付けて固定することによって、左上側部構成ブロック１１と左下側部構成ブロック１３を接合している。
【００３６】
また、それぞれのブロック１１，１３には、ボルト止め鋼板４４，４４の裏面側に、ボルト締め付け作業を行うための空間であるボルト止め作業用空間４８，４８が設けられている。このボルト止め作業用空間４８，４８は、ボックスカルバートの内面側に開口しており、その上面が上側に凸の弧状曲面状に形成されている。また、このボルト止め作業用空間４８，４８は、ボルト止め鋼板４４，４４のボルト挿通孔４５，４５と連通しており、ボルト挿通孔４５，４５に挿通したボルト４６にナット４７を螺嵌して締め付ける作業ができるようになっている。
【００３７】
このボルト止め鋼板４４は、結合用金具部材５１の一部を構成しているものである。結合用金具部材５１は、略長方形状のボルト止め鋼板４４と、その両端から立ち上がる側板５２，５２と、その側板５２，５２の外側に溶接されている鉄筋５３，５３を一体に有している。側板５２，５２は、略長方形状に形成され、ボルト止め作業用空間３８の側面の一部を構成している。このような形状をした結合用金具部材５１が、それぞれのブロック１１,１３に設置されている。
【００３８】
また、右側の側壁３における、右上側部構成ブロック１２と右下側部構成ブロック１４の接合部における構造も、上述の左側の側壁３と同様の接合構造となっている。
【００３９】
尚、本考案における多連型ボックスカルバートの構造としては、側壁３，３のどちらか一方が斜めになっていればよい。また、その斜めになっている側壁３から隔壁５に掛け渡された頂版部４がアーチ状となっていれば、他の部分はアーチ状となっていなくても良い。さらに、隔壁には、孔があいていてもよい。
【００４０】
また、隔壁は複数設けてもよい。例えば、隔壁部構成ブロックを複数使用するとともに、その隣り合う隔壁部構成ブロックの頂版用張り出し部間の頂版を構成する頂版用ブロックと、同隔壁部構成ブロックの底版用張り出し部間の底版を構成する底版用ブロックとを使用して前記隔壁間にも内部空間を形成してもよい。
【００４１】
また、隔壁部構成ブロックと、斜めになっていない側壁側の上側部構成ブロックと、同側の下側部構成ブロックとは、それぞれ２つのブロック同士、もしくは、３つのブロック全体同士を一体に形成してもよい。例えば、角筒状のボックスカルバートの側壁の上端から頂版用張り出し部を突出させ、下端から底版用張り出し部を突出させておき、上側部構成ブロックと下側部構成ブロックを連結して、多連型ボックスカルバートとしてもよい。この場合、角筒状のボックスカルバートの側壁が隔壁となる。
【００４２】
また、本考案における多連型ボックスカルバートは、斜めに形成された側壁３と、アーチ状の頂版部４と、隔壁５と、底版２に囲まれた内部空間であって、その高さより幅が大きく形成されている空間を少なくとも１つ有していればよい。
【００４３】
尚、緩衝材は、ゴム状の弾性体であればよい。
【００４４】
尚、鋼板２３の鉄筋２５と、補強鉄筋４１を接合するとよい。
【図面の簡単な説明】
【００４５】
【図１】本考案に係る多連型ボックスカルバートの一例を示す正面図である。
【図２】同上の台座部と支持部の接合構造を示す断面図である。
【図３】同上の台座部と支持部における鉄筋の配設構造を示す断面図である。
【図４】同上の側壁におけるブロック同士の接合構造を示す断面図である。
【図５】同上の正面図である。
【図６】同上の接合構造において使用されている結合用金具部材を示す斜視図である。
【図７】従来の多連型ボックスカルバートを示す正面図である。
【符号の説明】
【００４６】
１  多連型ボックスカルバート
２  底版
２ａ  左側底版部
２ｂ  右側底版部
２ｃ  底版用張り出し部
３  側壁
３ａ  左側壁上側部
３ｂ  左側壁下側部
３ｃ  右側壁上側部
３ｄ  右側壁下側部
４  頂版
４ａ  左側頂版部
４ｂ  右側頂版部
４ｃ  頂版用張り出し部
５  隔壁
１１  左上側部構成ブロック
１２  右上側部構成ブロック
１３  左下側部構成ブロック
１４  右下側部構成ブロック
１５  隔壁部構成ブロック
２１  台座部
２２  支持部
２３  鋼板
２４  貫通孔
２５  鉄筋
２６  カプラー
２７  アンカー
２８  緩衝材
２９  ボルト挿通孔
３０  凹部
３１  ボルト
３２  ナット
３３  座金
４１  角部補強鉄筋
４１ａ  水平部
４１ｂ  垂直部
４１ｃ  水平部
４１ｄ  水平部
４１ｅ  傾斜部
４２  上側主鉄筋
４３  下側主鉄筋
４４  ボルト止め鋼板
４５  ボルト挿通孔
４６  ボルト
４７  ナット
４８  ボルト止め作業用空間
５１  結合用金具部材
５２  側板
５３  鉄筋
６０  側壁
６０ａ  側壁上側部
６０ｂ  側壁下側部
６１  頂版
６１ａ  頂版部
６１ｂ  頂版用張り出し部
６２  底版
６２ａ  底版部
６２ｂ  底版用張り出し部
６３  隔壁
７０  上側部構成ブロック
７１  下側部構成ブロック
７２  隔壁部構成ブロック
【図１】
0003138555.tif 000003
【図２】
0003138555.tif 000004
【図３】
0003138555.tif 000005
【図４】
0003138555.tif 000006
【図５】
0003138555.tif 000007
【図６】
0003138555.tif 000008
【図７】
0003138555.tif 000009